(57)【要約】【課題】ユーザの身体又はその一部の所定の姿勢を持続的に支持するサポーターを提供する。【解決手段】サポーター１０は混合されると発泡により膨張してから硬化して第一樹脂発泡体を形成する第一液と第二液とを未混合の状態で内包する第一袋体１００と、混合されると発泡により膨張してから第二樹脂発泡体を形成する第三液と第四液とを未混合の状態で内包する、第一袋体１００と積層される第二袋体２００とを備え、第二樹脂発泡体は、前記第一樹脂発泡体よりも硬度が高い。【選択図】図１
2019000328.tif 000002
【特許請求の範囲】
【請求項１】
混合されると発泡により膨張してから硬化して第一樹脂発泡体を形成する第一液と第二液とを未混合の状態で内包する第一袋体と、
混合されると発泡により膨張してから第二樹脂発泡体を形成する第三液と第四液とを未混合の状態で内包する、前記第一袋体と積層される第二袋体とを備え、
前記第二樹脂発泡体は、前記第一樹脂発泡体よりも硬度が高い
サポーター。
【請求項２】
前記第二袋体は、内側の前記第一袋体と前記第二袋体との積層方向に向かい合う対面同士を接続することで、前記第二袋体が内包する前記第三液と前記第四液とが混合されてする膨張の、前記第一袋体と前記第二袋体との積層方向の膨張量を規制する規制部を備える
請求項１に記載のサポーター。
【請求項３】
前記第一液と前記第三液とは略同一の成分構成であり、
前記第二液と前記第四液とは略同一の成分構成であり、
前記第一液の量の前記第二液の量に対する比率と、前記第三液の量の前記第四液の量に対する比率とは異なる
請求項１又は２に記載のサポーター。
【請求項４】
前記第一液の成分と前記第二液の成分との組み合わせは、前記第三液の成分と前記第四液の成分の組み合わせと異なる
請求項１又は２に記載のサポーター。
【請求項５】
前記第一液及び前記第二液の少なくとも一方は、鉄を含有する
請求項１から４のいずれか１項に記載のサポーター。
【請求項６】
請求項１から５のいずれか１項に記載のサポーターを、椅子又は車椅子と、当該椅子又は当該車椅子で着座状態にあるユーザとの間に、前記第一袋体が当該ユーザ側に位置し、かつ前記第二袋体が当該椅子又は当該車椅子に接するように配置する配置ステップと、
前記第一液と前記第二液、及び前記第三液と前記第四液とを混合させる混合ステップと、
前記第一樹脂発泡体及び前記第二樹脂発泡体が形成されるまで前記ユーザに前記着座状態を維持させる硬化ステップとを含む
サポーターの使用方法。
【請求項７】
前記椅子又は車椅子は、配置された前記第二袋体に向かって突出する突起部を有し、
前記硬化ステップにおいて、前記突起部の少なくとも一部が前記第二袋体に埋没した状態で前記第二樹脂発泡体が形成されるまで前記ユーザに前記着座状態を維持させる
請求項６に記載のサポーターの使用方法。
【請求項８】
前記配置ステップにおいて、
前記第一袋体と前記ユーザとの間又は前記第一袋体と第二袋体との間にデバイスを固定し、
前記硬化ステップにおいて、前記デバイスの少なくとも一部が前記第一袋体に埋没した状態で前記第一樹脂発泡体が形成されるまで前記ユーザに前記着座状態を維持させる
請求項６又は７に記載のサポーターの使用方法。
【発明の詳細な説明】
【技術分野】
【０００１】
本発明は、サポーター及び当該サポーターの使用方法に関する。
【背景技術】
【０００２】
ユーザの身体又はその一部を所定の姿勢で支えるために用いられるサポーター（サポート、クッション、固定具又は保持具材等とも呼ばれる）がある。このようなサポーターには、ユーザの被支持部位の形状への良好な追従性を得るために、使用直前に、椅子などに座った状態のユーザの被支持部位に当てた状態で硬化させる樹脂が用いられることがある（例えば、特許文献１及び特許文献２を参照）。
【先行技術文献】
【特許文献】
【０００３】
【特許文献１】特開昭５１−１２５９８１号公報
【特許文献２】特開平０１−２９９５０８号公報
【発明の概要】
【発明が解決しようとする課題】
【０００４】
しかしながら、特許文献１又は特許文献２に記載されたサポーターは、使用中にユーザの動きに伴う荷重等によって変形または移動することがある。その結果、これらのサポーターでは、使用が開始された時のユーザの姿勢の支持が持続できない。
【０００５】
本発明は、ユーザの身体又はその一部の所定の姿勢を持続的に支持することができるサポーターを提供することを目的とする。
【０００６】
また、ユーザの身体又はその一部の所定の姿勢を持続的に支持するための、サポーターの使用方法を提供することを目的とする。
【課題を解決するための手段】
【０００７】
上記目的を達成するために、本発明に係るサポーターは、混合されると発泡により膨張してから硬化して第一樹脂発泡体を形成する第一液と第二液とを未混合の状態で内包する第一袋体と、混合されると発泡により膨張してから第二樹脂発泡体を形成する第三液と第四液とを未混合の状態で内包する、第一袋体と積層される第二袋体とを備え、第二樹脂発泡体は、第一樹脂発泡体よりも硬度が高い。
【０００８】
また、本発明に係るサポーターの使用方法は、上記のサポーターを、椅子又は車椅子と、当該椅子又は当該車椅子で着座状態にあるユーザとの間に、第一袋体が当該ユーザ側に位置し、かつ第二袋体が当該椅子又は当該車椅子に接するように配置する配置ステップと、第一液と第二液、及び第三液と第四液とを混合させる混合ステップと、第一樹脂発泡体及び第二樹脂発泡体が形成されるまでユーザに着座状態を維持させる硬化ステップとを含む。
【発明の効果】
【０００９】
本発明に係るサポーターは、ユーザの身体又はその一部の所定の姿勢を持続的に支持することができる。
【図面の簡単な説明】
【００１０】
【図１】図１は、実施の形態に係るサポーターの全体斜視図である。
【図２】図２は、実施の形態に係るサポーターが備える袋体の１つの平面図である。
【図３】図３は、実施の形態に係るサポーターにおいて、硬度の異なる樹脂発泡体を得るための第一袋体と第二袋体との構造の差の例を説明するための模式断面図である。
【図４】図４は、実施の形態に係るサポーターの使用時の荷重がかかっている状態を説明するための模式図である。
【図５Ａ】図５Ａは、実施の形態に係るサポーターの使用方法の一例を説明するための図である。
【図５Ｂ】図５Ｂは、実施の形態に係るサポーターの使用方法の一例を説明するための図である。
【図５Ｃ】図５Ｃは、実施の形態に係るサポーターがユーザの姿勢保持を補助している状態を示す図である。
【図６】図６は、実施の形態に係るサポーターが充填する空間を模式的に示す図である。
【図７Ａ】図７Ａは、実施の形態に係るサポーターの使用方法の一例を説明するための図である。
【図７Ｂ】図７Ｂは、実施の形態に係るサポーターの使用方法の一例を説明するための図である。
【図８Ａ】図８Ａは、実施の形態に係るサポーターの使用方法の一例を説明するための図である。
【図８Ｂ】図８Ｂは、実施の形態に係るサポーターの使用方法の一例を説明するための図である。
【図９Ａ】図９Ａは、実施の形態の変形例１に係るサポーターの使用方法を説明するための模式断面図である。
【図９Ｂ】図９Ｂは、実施の形態の変形例１に係るサポーターの使用方法を説明するための模式断面図である。
【図１０Ａ】図１０Ａは、実施の形態の変形例１に係るサポーターの使用方法を説明するための模式断面図である。
【図１０Ｂ】図１０Ｂは、実施の形態の変形例１に係るサポーターの使用方法を説明するための模式断面図である。
【図１１Ａ】図１１Ａは、実施の形態に係るサポーターの想定ユーザの、当該サポーターを使用していない時の着座状態の一例を説明するための図である。
【図１１Ｂ】図１１Ｂは、実施の形態に係るサポーターの想定ユーザの、当該サポーターを使用していない時の着座状態の他の例を説明するための図である。
【発明を実施するための形態】
【００１１】
以下では、本発明の実施の形態に係るサポーターについて、図面を用いて詳細に説明する。以下に説明する実施の形態は、いずれも本発明の好ましい一具体例を示すものである。したがって、以下の実施の形態で示される数値、形状、材料、構成要素、構成要素の配置、接続形態及び工程などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
各図は模式図であり、必ずしも厳密に図示されたものではない。また、各図において、同じ構成部材については同じ符号を付している。
【００１３】
本明細書において、「略＊＊」との記載は、「略同一」を例に挙げて説明すると、全く同一はもとより、実質的に同一と認められるものを含む意図である。
【００１４】
（実施の形態）
［１．サポーターの構成］
本実施の形態に係るサポーター１０とは、車椅子又は椅子（以下、まとめて車椅子等ともいう）と、これらのいずれかに着座状態にある人（以下、ユーザという）との間に配置されてユーザの姿勢を支えるためのものである。
【００１５】
ここで、着座状態にあってサポーターによる支えの必要なユーザとは、例えば関節拘縮、骨格のゆがみ若しくは麻痺等の身体の異常、老化による筋力低下、又は体格の不適合等の理由で、着座状態にあって座面上で骨盤が安定しにくい人である。図１１Ａ及び図１１Ｂは、このようなユーザの着座状態の具体的な例を示す。図１１Ａ及び図１１Ｂでは、車椅子に着座するユーザの、破線で示される骨盤及び背骨が正面から見て左右非対称である様子が示される。図１１Ａに示される例では、ユーザは斜め座りと呼ばれる座り方をし、図１１Ｂに示される例では、ユーザは横倒れと呼ばれる座り方をしている。
【００１６】
このような姿勢を取るユーザは座面での安定性が悪く、手を使って姿勢の保持又は修正をすることから、両手が自由に使えない等、生活上不便なことが多い。特に車椅子では移動中の振動で位置がずれやすく、ユーザが座面から落下する危険性さえある。また、食事の場面では、嚥下がスムーズに行えない、誤嚥のリスクが増す等の問題が生じる。
【００１７】
サポーター１０は、このようなユーザと車椅子等の隙間を埋めることで着座しているユーザの身体をより安定させ、また、適切な姿勢の保持を助ける。サポーター１０がこのような機能を発揮するために備える構成を、例を用いて説明する。
【００１８】
図１〜図４を参照して、実施の形態に係るサポーター１０の構成の例を説明する。
【００１９】
図１は、実施の形態に係るサポーター１０の全体斜視図である。サポーター１０は、第一袋体１００及び第二袋体２００を備える。第一袋体１００及び第二袋体２００は、それぞれ例えば伸縮性の比較的小さい（最大で数％程度）布製の袋であり、サポーター１０では、第一袋体１００と第二袋体２００とが層状に重ねられている。
【００２０】
なお、第一袋体１００と第二袋体２００とは、独立した２つの袋体であって、サポーター１０はこれらを重ねることで形成されてもよい。または、第一袋体１００及び第二袋体２００は、１つの袋の内部に設けられた隔壁によって隔てられる２つの排他的な空間をそれぞれ内包する、当該袋の一部と隔壁とで構成されてもよい。
【００２１】
本実施の形態においては、第一袋体１００と第二袋体２００とは基本的な形状が共通であるため、第一袋体１００を例にその共通点を中心に説明し、構成の差異点は後述する。図２は、サポーター１０が備える第一袋体１００の平面図である。
【００２２】
図２に示されるように、第一袋体１００は平面視（以下、ｘｙ平面を垂直に見る場合を指す）において略十字形をしている。この形状は、上述のように車椅子等とこれらに着座するユーザとの間の隙間を埋めるための形状である。図２において、破線の直線は、サポーター１０の使用時に第一袋体１００が谷折りされる位置、一点鎖線の直線は、使用時に第一袋体１００が山折りされる位置を示す。これらの線で仮想的に区切られた第一袋体１００の各部分を、背もたれ部１２０、左肘掛け部１４０、右肘掛け部１６０、脚部１８０、及び座面部１５０と説明の便宜上呼ぶ。背もたれ部１２０は、着座するユーザと車椅子等の背もたれとの間に位置する。左肘掛け部１４０は、着座するユーザの左体側と車椅子等の一方の肘掛けとの間に位置する。右肘掛け部１６０は、着座するユーザの右体側と車椅子等の他方の肘掛けとの間に位置する。脚部１８０は、着座するユーザの膝裏から脹脛と車椅子等との間に位置する。
【００２３】
また、第一袋体１００は、小袋３００を内包する。小袋３００は、例えば多層フィルムの袋であり、隔壁で隔てられた２つの小室を有する。この多層フィルムは、例えばポリエチレンテレフタラートフィルム、アルミ箔、及び無延伸ポリプロピレンフィルムの各層が接着剤で接合されて形成される。このような多層フィルムは、水蒸気、酸素、光等の内部への侵入を防止し、小袋３００の内容物の劣化を抑制する。また、内容物に冒されないことはもとより、ある程度の物理的な衝撃などに耐えて、小室間及び各小室から小袋３００の外への内容物の漏れを防ぐ。
【００２４】
各小室は、互いに成分の異なる液剤である第一液と第二液とが混合しない状態で収容する。図２の例では、第一袋体１００は、２つの点線の円及び各円を分割する線で示される２つの小袋３００を内包する。
【００２５】
小袋３００に収容される第一液と第二液とは、混合されると化学反応を起こして発泡し、この発泡によって膨張してから硬化して、第一袋体１００の内部で軟質な樹脂発泡体を形成する。この樹脂発泡体を、以下では第一樹脂発泡体という。このようにして形成される第一樹脂発泡体は、いわゆる二液性発泡ウレタンであり、第一液及び第二液の成分としては、既知のものが適宜利用可能である。例えば、第一液は、発泡剤、触媒、架橋剤等が添加された、ポリオールを主成分とする液剤であり、第二液は、硬化剤であるポリイソシアネートを主成分とする液剤である。
【００２６】
図１及び図２に示されるサポーター１０は未使用の状態であり、小袋３００内の第一液と第二液とは混合されていない。このときの第一袋体１００は、図１に示されるように全体に略平板な形状である。サポーター１０にユーザの姿勢保持の補助の機能を発揮させるためには、第一液と第二液とを混合させて、サポーター１０が着座状態のユーザと車椅子等との間の隙間を埋めるように第一樹脂発泡体を形成させる。
【００２７】
上述のとおり、第二袋体２００の基本的な形状は第一袋体１００と共通である。すなわち、第二袋体２００は、平面視において第一袋体１００と略同一の大きさの略十字形であり、背もたれ部、左肘掛け部、右肘掛け部、脚部、及び座面部を有する。また、第二袋体２００も、未使用のサポーター１０では、図１に示されるように全体に略平板である。以下では、第二袋体２００の第一袋体１００との差異点を中心に説明する。
【００２８】
第二袋体２００も互いに成分の異なる２種類の液剤を混合しない状態で収容する小袋を内包する。また、これらの２種類の液剤（以下、それぞれ第三液、第四液という）も混合されると化学反応を起こして発泡し、この発泡によって膨張してから硬化して、第二袋体２００の内部で軟質な樹脂発泡体を形成する。この樹脂発泡体を、以下では第二樹脂発泡体という。第二樹脂発泡体もまた二液性発泡ウレタンであり、第三液及び第四液の成分としては、既知のものが適宜利用可能である。
【００２９】
ただし、第二樹脂発泡体は、第一樹脂発泡体よりも硬度が高い。ここでいう硬度とは、圧縮硬さのことである。つまり、同じ荷重を受けた時の変形の程度は、第二樹脂発泡体のほうが第一樹脂発泡体よりも小さい。
【００３０】
このような硬度の差は、例えば混合される液剤の成分の組み合わせを変えて実現される。つまり、第一袋体１００で混合される２種類の液剤と、第二袋体２００で混合される２種類の液剤とは、少なくとも一方が異なる成分を含む。
【００３１】
例えば第二袋体２００で混合される液剤に含まれるポリオールに、第一袋体１００で混合される液剤に含まれるポリオールよりも分子量が小さいものを用いることでより多くのウレタン結合が得られ、より硬度の高い樹脂発泡体が形成される。または、第二袋体２００で混合される液剤では多官能ポリオールを併用することで架橋密度を高めても同様の効果が得られる。また、樹脂発泡体中の通気性もまた硬さに影響する。例えばポリマーポリオールを併用することで、より通気性の高い樹脂発泡体が形成される。
【００３２】
あるいは、混合される液剤の成分は、第一袋体１００と第二袋体２００との間で共通であっても、各液剤の成分構成比に差をつけて硬度の異なる第一樹脂発泡体及び第二樹脂発泡体を得てもよい。例えば第一袋体１００と第二袋体２００との間で、液剤全体に対する発泡剤又はポリマーポリオールの構成比に差がつけられてもよい。
【００３３】
また、第一袋体１００と第二袋体２００との間で、混合される液剤の成分構成は共通であるが、量の比率に差をつけてもよい。つまり、例えば第一液と第三液とは略同一の成分構成であり、第二液と第四液とは略同一の成分構成であるが、第一液の量の第二液の量に対する比率と、第三液の量の第四液の量に対する比率とに差をつけることで、互いに硬度の異なる第一樹脂発泡体及び第二樹脂発泡体を得てもよい。
【００３４】
また、上記のような混合される液剤に関する差に代えて、又はこの差と併用して、第一袋体１００と第二袋体２００との構造上の差によって、第一樹脂発泡体と第二樹脂発泡体との硬度の差を得てもよい。図３は、硬度の異なる第一樹脂発泡体及び第二樹脂発泡体を得るための第一袋体１００と第二袋体２００との構造の差の例を説明するための模式図である。図３に示される第一袋体１００及び第二袋体２００は、見やすさのために、サポーター１０の任意の一部を抜粋したものである。
【００３５】
第二袋体２００は、その内側の第一袋体１００との積層方向（ｚ軸方向又は厚さ方向ともいう）に向かいあう対面同士を接続する規制部２３０を備える。規制部２３０は、第二袋体２００に内包される第三液と第四液とが混合されてする膨張のｚ軸方向の膨張量を規制するために設けられる。また、規制部２３０は、第二樹脂発泡体の形成後の第二袋体２００の厚さが全体で、又は少なくとも背もたれ部、左肘掛け部、右肘掛け部、脚部、及び座面部の各部分で所定の限度に収まるように膨張量を規制するために、適宜複数設けられる。このように第三液と第四液との混合液の膨張量が抑えられることで、硬化後の第二樹脂発泡体の密度はより高くなり、より高い硬度が得られる。
【００３６】
このような規制部２３０の素材及び形状は、第二袋体２００の上記の対面同士の間隔を規制することで第三液と第四液との混合液の膨張を規制できるものであれば限定されない。例えば伸縮性の比較的小さい（最大で数％程度）布製で、図３のような帯状であってもよいし、紐状であってもよい。または、第二袋体２００の、第一袋体１００との積層方向と交わる２つの面を１箇所以上で接触又は近接させた状態で固定するグロメット、リベット、カシメ、又はボルト及びナットが用いられてもよい。または、当該２面がこの状態で、１箇所以上で縫い合わせられてもよい。ただし、車椅子等とユーザとの間に位置するものであるため、グロメット等の金属製の規制部２３０であれば、座り心地に影響しないように厚さ方向の寸法は抑えられることが好ましい。
【００３７】
なお、図１及び図３では、第二袋体２００は第一袋体１００よりも低背であるが、サポーター１０の構成はこの点に限定されない。第一袋体１００及び第二袋体２００それぞれの厚さは、例えばサポーター１０全体の大きさ、及び得られる第一樹脂発泡体及び第二樹脂発泡体それぞれの硬度等と合わせて設計段階で決定される。
【００３８】
または、小袋３００の個数、形状、第一袋体１００に占める位置及び大きさは、図２で示される態様に限定されない。図２に示されるのは、後述の使用方法の例のひとつとして、車椅子等に着座するユーザによる加重で破壊されることを想定した小袋３００の態様の例である。例えば、使用前のサポーター１０の保管又は収納を考慮すると、サポーター１０の厚さに響かないように、小袋３００は厚さを抑えて広い範囲を占める形状であってもよい。第二袋体２００の中にある小袋についても同様である。また、第一袋体１００の中の小袋３００と第二袋体２００の中にある小袋とは、平面視において重なってもよいし、重ならなくてもよい。
【００３９】
上記のように構成されるサポーター１０は、使用時には第一袋体１００がユーザ側に位置し、第二袋体２００が車椅子等に接するよう配置される。図４は、使用時に荷重がかかってサポーター１０の使用時に荷重がかかっている状態を説明するための模式断面図である。図４においては、サポーター１０が車椅子等の背もたれ面７００及び座面８００とユーザの臀部９００との間にある。このとき、第一袋体１００はユーザ側に位置してユーザの臀部９００に接し、第二袋体２００は、車椅子側に位置して車椅子等の背もたれ面７００及び座面８００に接している。
【００４０】
第一袋体１００を満たす第一樹脂発泡体は第二袋体２００を満たす第二樹脂発泡体よりも柔らかく（硬度が低く）、ユーザの姿勢を支えながらも、ある程度ユーザの動き等によって加わる圧力に応じて変形する。したがって、ユーザは動きが過度に妨げられることによる不快感を生じさせにくい。
【００４１】
一方、より硬い第二樹脂発泡体は、この圧力に対する変形の程度がより小さい。しかしながら、すでに車椅子等の形状にある程度追従しながら硬化して形成されているため、ユーザの動き又は振動による力が加わっても車椅子等の上で位置がずれにくい。
【００４２】
このように、サポーター１０は、第一樹脂発泡体でユーザにとっての快適性を実現しながら、第二樹脂発泡体で車椅子等の上で位置を安定させることで、ユーザの姿勢を持続的に支持することができる。
【００４３】
［１．使用方法］
次に、サポーター１０の使用方法について説明をする。なお、下記に挙げる使用方法は、ユーザと車椅子等との間の隙間を、上述の効果が得られるようサポーター１０で充填するための方法の例示を目的とするであり、サポーター１０の使用方法を限定するものではない。
【００４４】
以下では車椅子で使用する場合を例に説明するが、一般の椅子でも同様の方法で使用することができる。また、本明細書での「充填」は、完全な充填を必ずしも指すものではない。
【００４５】
（２−１．使用方法１）
使用方法１は、第一袋体の中の小袋３００及び第二袋体の中の小袋をユーザの体重を利用して破壊する方法である。
【００４６】
まず、図５Ａに示されるように、車椅子の座面、背もたれ、及び肘掛けの内側を覆うようにサポーター１０を配置する。このとき、上述のように、第一袋体１００が上側（ユーザ側）第二袋体２００が下側（車椅子側）に位置するよう配置される（配置ステップ）。
【００４７】
次に、図５Ｂに示されるように、ユーザが車椅子に着座する。このとき、ユーザが車椅子上で取るべき所定の姿勢があれば、ユーザはこの姿勢を取る。例えば、骨盤が正面視で略左右対称の安定した姿勢である。このようにしてサポーター１０が着座状態になったユーザと車椅子とに挟まれると、各小袋は、ユーザの体重、又はさらに着座の勢いによる加重で破壊され、第一袋体１００内で第一液と第二液、第二袋体２００内で第三液と第四液とが混合される（混合ステップ）。第一液と第二液との混合液、第三液と第四液との混合液は、それぞれ発泡して膨張する。
【００４８】
その後、ユーザは第一袋体１００内の混合液が硬化して第一樹脂発泡体が、第二袋体２００内の混合液が硬化して第二樹脂発泡体が形成されるまで、上記の着座状態を維持する（硬化ステップ）。図５Ｃは、第一樹脂発泡体及び第二樹脂発泡体が形成されて、サポーター１０がユーザの姿勢保持を補助している状態を示す図である。ユーザの着座開始から硬化ステップの終了まで、介助者によってユーザの着座姿勢が整えられ、また、この姿勢保持が支援されてもよい。
【００４９】
なお、硬化ステップの時間は、各混合液の成分及び気温等の環境によって変動し得るが、使用環境の温度下で、姿勢保持がユーザまたは介助者の過度の負担にならない数分程度の長さ、例えば、３分程度になるよう調整される。
【００５０】
これらのステップを経たサポーター１０が獲得する状態及びその効果について説明する。
【００５１】
ユーザが車椅子等に着座している状態で混合液が膨張することで、第一袋体１００及び第二袋体２００もユーザにより加重を受けつつ、それぞれ内部から押されて膨らむ。そして、ユーザが着座状態を維持したままで混合液が膨張を経て硬化して形成された第一樹脂発泡体は、ユーザ側の面が着座状態で所定の姿勢にあるユーザの身体の形状に立体的に沿った形状を獲得する。ただし、第一樹脂発泡体は、ユーザの動きを過度に制限しない程度に変形が可能な硬度である。したがって、サポーター１０を使うことによるユーザの不快感は抑えられている。
【００５２】
また、第一樹脂発泡体及び第二樹脂発泡体で、ユーザと車椅子との隙間が充填される。図６は、サポーター１０が充填するこの隙間を模式的に示す図である。図６において斜線が付された範囲に示されるように、サポーター１０は、ユーザの背中と車椅子の背もたれとの間の隙間、ユーザの腰から腿と肘掛けとの間、ユーザの膝裏から脹脛にかけての部位と車椅子がユーザの脚を支える部分との隙間を充填する。また、図６には示されないが、ユーザの臀部から腿裏にかけての部位と座面との間の隙間もサポーター１０によって充填される。
【００５３】
その一方で、第二樹脂発泡体は、ユーザの加重による、車椅子に向かって押される力を受けながら膨張して硬化する。したがって、第二樹脂発泡体は、車椅子側の面が車椅子の背もたれ及び座面のユーザ側の面の形状に概ね沿った形状を獲得する。第二樹脂発泡体は、第一樹脂発泡体よりも硬度が高く、ユーザの動き等による加重での変形の程度が第一樹脂発泡体よりも小さい。したがってサポーター１０は、使用中のこのような加重でずれにくく、車椅子に安定よく収まった状態を持続しやすい。
【００５４】
（２−２．使用方法２）
使用方法２は、使用方法１と混合ステップが異なる。図７Ａは、使用方法２における混合ステップを説明するための図である。
【００５５】
使用方法２では、図７Ａに示されるように、サポーター１０が使用方法１と同様に配置ステップが実行されたのち、ユーザが着座しない状態で各小袋が破壊される（混合ステップ）。例えばユーザの介助者が手などでサポーター１０に力を加えることによって使用方法２の混合ステップは実行される。
【００５６】
混合ステップが実行されると、サポーター１０の中で各混合液は間もなく膨張を開始する。図７Ｂはユーザが着座しない状態で各混合液が発泡して膨張しつつある状態を示す図である。この状態でユーザは車椅子に着座して所定の姿勢を取る。その後ユーザは、使用方法１と同様に、第一袋体１００内の混合液が硬化して第一樹脂発泡体が、第二袋体２００内の混合液が硬化して第二樹脂発泡体が形成されるまで着座状態を維持する（硬化ステップ）。ユーザの着座開始から硬化ステップの終了まで、介助者によってユーザの着座姿勢が整えられ、また、この姿勢保持が支援されてもよい。
【００５７】
なお、硬化ステップの時間の上限については上述のとおりであるが、あまりに短いとユーザが着座姿勢を整えるのが間に合わない。したがって、このような使用方法が想定されている場合には、硬化ステップは、使用環境の温度下で、１分を下回るような短さにならないよう、例えば、３〜５分程度になるよう調整されているのが好ましい。
【００５８】
上述のとおり、膨張の開始から硬化までは数分はかかるため、使用方法２によっても、サポーター１０は使用方法１と同じ状態を獲得して同じ効果を発揮することができる。
【００５９】
使用方法２は、ユーザの体重が軽いか又は動作が緩やかであり、ユーザによる加重では各小袋の破壊が困難な場合に有効である。
【００６０】
（２−３．使用方法３）
使用方法３は、使用方法１と、混合ステップにおける各小袋の破壊のさせ方が異なる。
【００６１】
使用方法３で用いられるサポーター１０は、外部から各小袋を破壊するための機構を備える。例えば各小袋において二液を隔てる隔壁に接続された紐がサポーター１０の外側に出ている。この紐がある程度の強さで引っ張られると、隔壁が破壊されて二液の混合が開始する。この場合、各小袋は、ユーザが普通の勢いで着座する程度では破壊されない強度を有し、このように任意のタイミングで混合ステップを開始することができる。
【００６２】
このような機構を備えるサポーター１０では、配置ステップは使用方法１と同様に実行される。そして、ユーザが車椅子に着座し、姿勢を整えて着座状態になる。この小袋は、ユーザが普通の勢いで着座する程度では破壊されない。図８Ａは、使用方法３におけるこのときの状態を示す図である。紐５００が上記の各小袋にの隔壁に接続される紐である。
【００６３】
ユーザが着座状態になると、図８Ｂに示されるように、ユーザ又は介助者によって紐５００が引っ張られることで混合ステップが実行される。次の硬化ステップは、使用方法１と共通である。ユーザの着座開始から硬化ステップの終了まで、介助者によってユーザの着座姿勢が整えられ、また、この姿勢保持が支援されてもよい。
【００６４】
なお、各小袋を破壊するための機構は、上述のような紐によるものに限定されない。例えば外部から針状の道具をサポーター１０の所定の位置に差し込むことで各小袋が破壊されてもよい。
【００６５】
このような使用方法３によっても、サポーター１０は使用方法１と同じ状態を獲得して同じ効果を発揮することができる。
【００６６】
（実施の形態の変形例１）
上述の実施の形態では、初めてサポーター１０を用いるときの使用方法について説明した。
そして、この使用方法によって、サポーター１０が車椅子等に安定よく収まった状態を持続しやすいという効果が得られることも上述のとおりである。
【００６７】
しかしながら、例えばこのようにして使用を開始していったん形の定まったサポーター１０をこの車椅子等から外して再度乗せた場合に、サポーター１０の収まりが悪化する場合がある。これは、再びサポーター１０を車椅子等に乗せた場合に、前回と同じ位置への配置が必ずしも再現されないためである。
【００６８】
本変形例では、このような、再びサポーター１０を車椅子等に乗せた際の位置の再現性を高めるための使用方法を説明する。
【００６９】
この使用方法では、車椅子等のサポーター１０の第二袋体２００と高い確実性で接する場所にある突起部を利用する。この突起部は、車椅子等が元々備えるものでなくてもよい。例えば背もたれに孔を開けてボルトを通したり、フレームに粘着シートで固定される荷掛けフック等を取り付けたりすることで提供されてもよい。このような突起部は、車椅子等に配置されたサポーター１０の第二袋体２００に向かって突出する。
【００７０】
実施の形態で説明した各使用方法における硬化ステップでは、この突起部の少なくとも一部が第二袋体２００に埋没した状態で第二樹脂発泡体が形成されるまでユーザに着座状態を維持させる。これにより、第二袋体２００の車椅子等側の面には、当該突起部と嵌合又は係合する凹みが形成される。図９Ａから図１０Ｂは、このように実行される硬化ステップとその結果形成される凹みの例を説明するための模式断面図である。この例では、背もたれ面７００から第二袋体２００に向かって突出する突出部がある。
【００７１】
図９Ａでは、硬化ステップにおいて背もたれ面７００から突出する突出部が第二袋体２００に食い込んでいる状態を示す。図９Ｂは、硬化が終わってから第二袋体２００を背もたれ面７００から外した状態を示す。このように車椅子等の突出部とかみ合う凹みが第二袋体２００に形成されることで、再びサポーター１０を車椅子等に乗せる際にはこの凹みに突出部を嵌合させるようサポーター１０を配置することで、元の位置が良好に再現される。
【００７２】
また、このように嵌合する突出部と凹みには、サポーター１０の使用中の位置ずれを防止する効果もある。
【００７３】
図１０Ａ及び図１０Ｂは、突出部の異なる形状の例を示す。図１０Ａ及び図１０Ｂに示されるようにフック状の突出部でも同様に再びサポーター１０を車椅子等に乗せた際の位置の再現性を高めることができる。また、サポーター１０の使用中の位置ずれを防止する効果は、図９Ａ及び図９Ｂに示される例よりも高い。なお、第二樹脂発泡体は第一樹脂発泡体よりは硬いが軟質のウレタンであることから、このような複雑な形状の突出部との係合であっても問題なく行うことができる。
【００７４】
なお、突出部の形成され得る位置は、図９Ａから図１０Ｂに示される背もたれ面７００に限定されず、例えば座面８００等、サポーター１０の第二袋体２００と面する位置であればよい。また、突出部はそのような位置に複数設けられてもよい。
【００７５】
（実施の形態の変形例２）
実施の形態において説明したサポーター１０は、各ユーザの身体の形状に合わせて第一樹脂発泡体の形状が決定することから、その形状の追従性は高い。
【００７６】
しかしながら、その分、サポーター１０がユーザと接触している時間は長くなりやすい。このような接触があまりに長時間になると、ユーザの皮膚への負担となり、褥瘡を招く恐れもある。サポーター１０のユーザには、運動機能に障害がある者も想定され、サポーター１０と接触する部位を自由に動かせない場合にはそのような問題が起こる可能性が高まる。
【００７７】
本変形例では、このような問題を回避するためのサポーター１０の構成を説明する。
【００７８】
ひとつは、第一液及び第二液の少なくと一方に磁性体、より具体的には、鉄又は鉄化合物の粉（以下、便宜的に鉄粉という）を含有させる。これにより、硬化ステップを経て形成された第一樹脂発泡体には、鉄粉が全体に分散して存在する。
【００７９】
また、車椅子等には、サポーター１０に接する部分またはその近傍に磁石を設置する。この磁石は例えば移動が可能なように構成される。あるいは、電磁石であれば、複数個所に設置されて、それぞれに電流を供給したり供給を止めたりすることができる。つまり、場所を変えながら、車椅子等に設置されているサポーター１０に対して磁力を及ぼすことができるよう構成される。
【００８０】
磁力を受けたサポーター１０では、第一樹脂発泡体がユーザから遠ざかる方向に引かれる。これにより、ユーザの皮膚に対する圧力を減じること（除圧）ができる。この除圧の動作を、サポーター１０の各所で実行することで、サポーター１０に接する皮膚への負担を軽減し、褥瘡の発生の可能性を抑えることができる。
【００８１】
（実施の形態の変形例３）
実施の形態の変形例２では、除圧の実行が可能なサポーター１０の構成を説明したが、サポーター１０は逆に加圧を実行可能なように構成されてもよい。
【００８２】
例えば、配置ステップにおいてエアバルーン等のアクチュエータを第一袋体と第二袋体との間に固定して、上述の硬化ステップを実行する。これにより、アクチュエータは少なくとも一部が第二袋体に埋没した状態で第二樹脂発泡体が形成される。このようにしてサポーター１０の中に固定されたアクチュエータは、普段はユーザの身体に当たりにくいが、稼働させるとユーザの身体に押圧を加えることができる位置に配置される。
【００８３】
また、サポーター１０に上記のように備えることができるデバイスはアクチュエータに限られない。例えば温度又は湿度を計測するためのセンサをサポーター１０に備えてもよい。例えばこのようなセンサの出力結果に基づいてユーザの快不快又は発汗状態が推定されて、アクチュエータによる加圧又は上記の磁石を用いた除圧が実行されてもよい。
【００８４】
（その他の変形例）
以上、本発明に係るサポーターについて、実施の形態及びその変形例に基づいて説明したが、本発明は、上記実施の形態に限定されるものではない。各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【００８５】
例えば、サポーター１０の平面視の形状は略十字形に限定されない。合わせて使用される車椅子又は椅子の形状に適した形状が適宜選択される。
【００８６】
より具体的な例を挙げると。サポーター１０は座椅子と合わせて用いられてもよく、この場合には脚部はなくてもよい。
【００８７】
また、座面部の形状は図２に示されるような略矩形でなくてもよく、各種の多角形、円形、その他車椅子等の座面に合わせた形状であってもよい。
【００８８】
また、左右の肘掛け部は、図１又は図２に示されるような座面部と折曲線を挟んで連通する部分でなくてもよい。例えば、第一袋体１００の座面部自体の形状が、その左右の端（ｘ軸と交わる辺）近辺で上方向（ｚ軸プラス方向）に広がる立体的な形状であってもよい。これにより、形成される第一樹脂発泡体の形状をある程度制御することができる。
【００８９】
なお、第一袋体１００は布製であるため、このような形状であってもサポーター１０の収納性を損なうことはない。また、第一袋体１００がこのような形状の場合には、第二袋体２００には左右の肘掛け部がなくてもよい。
【００９０】
また、小袋３００は、１つの袋の内部に二液を隔てる隔壁を設けたものであってもよいし、独立した２つの袋体として構成されてもよい。
【００９１】
また、小袋３００は、サポーター１０の座面部以外の部分に設けられてもよい。この場合に、着座したユーザによる加重での小袋３００の破壊が困難であれば、着座前に圧力を加えての破壊、又は紐等の、着座後に小袋３００を破壊する機構を含む構成が採用される。
【００９２】
第一袋体１００も規制部２３０に相当するものを備えてもよい。これにより、第一樹脂発泡体の形成後の第一袋体１００の形状にある程度の規制をすることができる。ただし、第一袋体１００での規制の程度は、第一樹脂発泡体の硬度が第二樹脂発泡体よりも低く、かつユーザの動きを過度に規制しすぎないように抑えられる。
【００９３】
また、実施の形態の変形例２における樹脂発泡体が鉄を含む構成、及び実施の形態の変形例３におけるサポーターがデバイスを含む構成は、上述のように硬さの異なる２層の樹脂発泡体を備えるサポーター１０のみならず、樹脂発泡体を１層のみ備えるサポーターに適用されても同様の効果を奏する。
【符号の説明】
【００９４】
１０    サポーター
１００    第一袋体
２００    第二袋体
【図１】
2019000328.tif 000003
【図２】
2019000328.tif 000004
【図３】
2019000328.tif 000005
【図４】
2019000328.tif 000006
【図５Ａ】
2019000328.tif 000007
【図５Ｂ】
2019000328.tif 000008
【図５Ｃ】
2019000328.tif 000009
【図６】
2019000328.tif 000010
【図７Ａ】
2019000328.tif 000011
【図７Ｂ】
2019000328.tif 000012
【図８Ａ】
2019000328.tif 000013
【図８Ｂ】
2019000328.tif 000014
【図９Ａ】
2019000328.tif 000015
【図９Ｂ】
2019000328.tif 000016
【図１０Ａ】
2019000328.tif 000017
【図１０Ｂ】
2019000328.tif 000018
【図１１Ａ】
2019000328.tif 000019
【図１１Ｂ】
2019000328.tif 000020